【手続補正書】
【提出日】平成24年2月29日(2012.2.29)
【手続補正１】
【補正対象書類名】特許請求の範囲
【補正対象項目名】全文
【補正方法】変更
【補正の内容】
【特許請求の範囲】
【請求項１】
他の機器に記憶された情報の読み出しまたは書き込みを行なうリーダライタとして機能可能なＩＣチップを有し、
情報処理装置から、前記ＩＣチップをリーダライタとして機能させるためのソフトウェアを受信するソフトウェア受信手段と、
前記受信されたソフトウェアを用いて、前記情報処理装置から、前記ソフトウェアにより実行される前記リーダライタとしての処理の内容の一部が記述されたデータを受信するデータ受信手段と
を備える通信装置。
【請求項２】
前記データを受信するために、前記情報処理装置にアクセスするための接続先情報を取得する接続先情報取得手段をさらに備え、
前記接続先情報には、前記情報処理装置が前記通信端末に対する前記データの送信を許可するか否かを判定する処理に用いられるパラメータを含む
請求項１に記載の通信装置。
【請求項３】
前記データの受信に先立って、前記接続先情報に基づいて前記情報処理装置にページ取得要求を送信する取得要求送信手段をさらに備え、
前記ページ取得要求に含まれる情報に基づいて、前記情報処理装置が前記通信端末に対する前記データの送信を許可した場合に前記情報処理装置から送信される表示データに基づいてＧＵＩ画面を表示し、
前記ＧＵＩ画面に含まれるリンクが操作された場合、前記ソフトウェアが起動されて前記データ受信手段が前記データを受信する
請求項２に記載の通信装置。
【請求項４】
前記データ受信手段は、複数の前記データを受信し、
前記ソフトウェアとともに、前記複数のデータの中からユーザが選択したデータを用い、前記ＩＣチップによる前記リーダライタとしての処理が実行される
請求項１に記載の通信装置。
【請求項５】
前記ＩＣチップによる前記リーダライタとしての処理を実行させるために、前記ソフトウェアを起動する場合、
前記情報処理装置に対して所定のチェック情報を送信し、前記情報処理装置から送信されるチェック結果に基づいて前記ソフトウェアを起動するソフトウェア起動手段と、
前記ＩＣチップによる前記リーダライタとしての処理を実行させるために、前記データを用いる場合、
前記情報処理装置に対して所定のチェック情報を送信し、前記情報処理装置から送信されるチェック結果に基づいて前記データを用いるデータ使用手段とをさらに備える
請求項１に記載の通信装置。
【請求項６】
前記ソフトウェア起動手段が前記情報処理装置に対して送信する前記所定のチェック情報には、前記ＩＣチップに固有の識別情報が含まれる
請求項５に記載の通信装置。
【請求項７】
前記ＩＣチップは、他の通信装置が有する他のＩＣチップに記憶された情報の読み出し または書き込みを行なうリーダライタとして機能可能な
請求項１に記載の通信端末。
【請求項８】
コンピュータを、
他の機器に記憶された情報の読み出しまたは書き込みを行なうリーダライタとして機能可能なＩＣチップを有し、
情報処理装置から、前記ＩＣチップをリーダライタとして機能させるためのソフトウェアを受信するソフトウェア受信手段と、
前記受信されたソフトウェアを用いて、前記情報処理装置から、前記ソフトウェアにより実行される前記リーダライタとしての処理の内容の一部が記述されたデータを受信するデータ受信手段とを備える通信装置として機能させる
プログラム。
【請求項９】
他の機器に記憶された情報の読み出しまたは書き込みを行なうリーダライタとして機能可能なＩＣチップを有する通信装置であって、処理の内容の一部が記述されたデータに基づいて前記ＩＣチップを前記リーダライタとして機能させる通信装置から、送信されるページ取得要求に基づいて、前記通信装置に表示データを送信するページ送信手段と、
前記表示データに含まれるリンクに基づく前記通信装置からのアクセスを受け付けた場合、前記データを前記通信装置に送信するデータ送信手段と
を備える情報処理装置。
【請求項１０】
前記ページ取得要求は、前記データを受信するために前記通信装置が予め取得した接続先情報に基づいて送信され、
前記ページ送信手段は、
前記接続先情報に含まれるパラメータに基づいて、前記通信端末に対する前記データの送信を許可すると判定した場合、ダウンロードキーを生成して前記ダウンロードキーを含む表示データを、前記前記通信装置に送信する
請求項９に記載の情報処理装置。
【請求項１１】
前記データ送信手段は、
前記表示データに含まれるリンクに基づく前記通信装置からのアクセスを受け付けた場合、
前記通信装置から送信される所定のチェック情報に基づいて前記通信装置に対する前記データの送信を許可すると判定したとき、前記データを前記通信装置に送信する
請求項１０に記載の情報処理装置。
【請求項１２】
前記通信装置から送信される所定のチェック情報には、
前記通信端末において、前記ＩＣチップをリーダライタとして機能させるためのソフトウェアの識別情報と、
前記ダウンロードキーが含まれる
請求項１１に記載の情報処理装置。
【請求項１３】
前記通信装置が前記ＩＣチップによる前記リーダライタとしての処理を実行させるために、前記ソフトウェアを起動させる場合、
前記通信装置から送信される所定のチェック情報に基づいて、前記通信装置による前記ソフトウェアの起動を許可するか否かを表すチェック結果を生成して前記通信装置に送信するソフトウェアチェック結果送信手段と、
前記通信装置が前記ＩＣチップによる前記リーダライタとしての処理を実行させるために、前記データを用いる場合、
前記通信装置から送信される所定のチェック情報に基づいて、前記通信装置による前記ロールの使用を許可するか否かを表すチェック結果を生成して前記通信装置に送信するデータチェック結果送信手段とをさらに備える
請求項９に記載の通信装置。
【請求項１４】
前記ソフトウェアチェック結果送信手段は、前記所定のチェック情報に含まれる前記ＩＣチップに固有の識別番号に基づいて、前記通信装置による前記ソフトウェアの起動を許可するか否かを判定する
請求項１３に記載の通信装置。
【請求項１５】
コンピュータを、
他の機器に記憶された情報の読み出しまたは書き込みを行なうリーダライタとして機能可能なＩＣチップを有する通信装置であって、処理の内容の一部が記述されたデータに基づいて前記ＩＣチップを前記リーダライタとして機能させる通信装置から、送信されるページ取得要求に基づいて、前記通信装置に表示データを送信するページ送信手段と、
前記表示データに含まれるリンクに基づく前記通信装置からのアクセスを受け付けた場合、前記データを前記通信装置に送信するデータ送信手段と
を備える情報処理装置として機能させる
プログラム。
【請求項１６】
他の機器に記憶された情報の読み出しまたは書き込みを行なうリーダライタとして機能可能なＩＣチップを有し、
情報処理装置から、前記ＩＣチップをリーダライタとして機能させるためのソフトウェアを受信するソフトウェア受信手段と、
前記受信されたソフトウェアを用いて、前記情報処理装置から、前記ソフトウェアにより実行される前記リーダライタとしての処理の内容の一部が記述されたデータを受信するデータ受信手段とを備える通信装置と、
他の機器に記憶された情報の読み出しまたは書き込みを行なうリーダライタとして機能可能なＩＣチップを有する通信装置であって、処理の内容の一部が記述されたデータに基づいて前記ＩＣチップを前記リーダライタとして機能させる通信装置から、送信されるページ取得要求に基づいて、前記通信装置に表示データを送信するページ送信手段と、
前記表示データに含まれるリンクに基づく前記通信装置からのアクセスを受け付けた場合、前記データを前記通信装置に送信するデータ送信手段とを備える情報処理装置と
からなるリーダライタ提供システム。
【請求項１７】
所定の領域に情報を記憶するとともに、他のＩＣチップに記憶された情報の読み出しまたは書き込みを行なうリーダライタとして機能するＩＣチップを有し、
ネットワークに接続された情報処理装置から、前記ＩＣチップをリーダライタとして機能させるためのアプリケーションソフトウェアであるエージェントをダウンロードするエージェントダウンロード手段と、
前記ダウンロードされたエージェントを用いて、ネットワークに接続された情報処理装置から、前記エージェントにより実行される前記リーダライタの処理の内容の一部が記述されたスクリプトデータであるロールをダウンロードするロールダウンロード手段と
を備える通信装置。
【請求項１８】
所定の領域に情報を記憶するとともに、他のＩＣチップに記憶された情報の読み出しまたは書き込みを行なうリーダライタとして機能するＩＣチップを有する通信装置であって、処理の内容の一部が記述されたスクリプトデータであるロールに基づいて前記ＩＣチップを前記リーダライタとして機能させる通信装置から、ネットワークを介して送信されるロールダウンロード起動ページ取得要求に基づいて、前記通信装置にロールダウンロード起動ページの表示データを送信するロールダウンロード起動ページ送信手段と、
前記ロールダウンロード起動ページに含まれるリンクに基づく前記通信装置からのアクセスを受け付けた場合、前記ロールを前記通信装置に送信するロール送信手段と
を備える情報処理装置。
【手続補正２】
【補正対象書類名】明細書
【補正対象項目名】００１０
【補正方法】変更
【補正の内容】
【００１０】
本発明の第１の側面は、他の機器に記憶された情報の読み出しまたは書き込みを行なうリーダライタとして機能可能なＩＣチップを有し、情報処理装置から、前記ＩＣチップをリーダライタとして機能させるためのソフトウェアを受信するソフトウェア受信手段と、
前記受信されたソフトウェアを用いて、前記情報処理装置から、前記ソフトウェアにより実行される前記リーダライタとしての処理の内容の一部が記述されたデータを受信するデータ受信手段とを備える通信装置。
【手続補正３】
【補正対象書類名】明細書
【補正対象項目名】００１１
【補正方法】変更
【補正の内容】
【００１１】
前記データを受信するために、前記情報処理装置にアクセスするための接続先情報を取得する接続先情報取得手段をさらに備え、前記接続先情報には、前記情報処理装置が前記通信端末に対する前記データの送信を許可するか否かを判定する処理に用いられるパラメータを含むようにすることができる。
【手続補正４】
【補正対象書類名】明細書
【補正対象項目名】００１２
【補正方法】変更
【補正の内容】
【００１２】
前記データの受信に先立って、前記接続先情報に基づいて前記情報処理装置にページ取得要求を送信する取得要求送信手段をさらに備え、前記ページ取得要求に含まれる情報に基づいて、前記情報処理装置が前記通信端末に対する前記データの送信を許可した場合に前記情報処理装置から送信される表示データに基づいてＧＵＩ画面を表示し、前記ＧＵＩ画面に含まれるリンクが操作された場合、前記ソフトウェアが起動されて前記データ受信手段が前記データを受信するようにすることができる。
【手続補正５】
【補正対象書類名】明細書
【補正対象項目名】００１３
【補正方法】変更
【補正の内容】
【００１３】
前記データ受信手段は、複数の前記データを受信し、前記ソフトウェアとともに、前記複数のデータの中からユーザが選択したデータを用い、前記ＩＣチップによる前記リーダライタとしての処理が実行されるようにすることができる。
【手続補正６】
【補正対象書類名】明細書
【補正対象項目名】００１４
【補正方法】変更
【補正の内容】
【００１４】
前記ＩＣチップによる前記リーダライタとしての処理を実行させるために、前記ソフトウェアを起動する場合、前記情報処理装置に対して所定のチェック情報を送信し、前記情報処理装置から送信されるチェック結果に基づいて前記ソフトウェアを起動するソフトウェア起動手段と、前記ＩＣチップによる前記リーダライタとしての処理を実行させるために、前記データを用いる場合、前記情報処理装置に対して所定のチェック情報を送信し、前記情報処理装置から送信されるチェック結果に基づいて前記データを用いるデータ使用手段とをさらに備えるようにすることができる。
【手続補正７】
【補正対象書類名】明細書
【補正対象項目名】００１５
【補正方法】変更
【補正の内容】
【００１５】
前記ソフトウェア起動手段が前記情報処理装置に対して送信する前記所定のチェック情報には、前記ＩＣチップに固有の識別情報が含まれるようにすることができる。
【手続補正８】
【補正対象書類名】明細書
【補正対象項目名】００１６
【補正方法】変更
【補正の内容】
【００１６】
前記ＩＣチップは、他の通信装置が有する他のＩＣチップに記憶された情報の読み出し または書き込みを行なうリーダライタとして機能可能なようにすることができる。
【手続補正９】
【補正対象書類名】明細書
【補正対象項目名】００１７
【補正方法】変更
【補正の内容】
【００１７】
本発明の第１の側面は、コンピュータを、他の機器に記憶された情報の読み出しまたは書き込みを行なうリーダライタとして機能可能なＩＣチップを有し、情報処理装置から、前記ＩＣチップをリーダライタとして機能させるためのソフトウェアを受信するソフトウェア受信手段と、前記受信されたソフトウェアを用いて、前記情報処理装置から、前記ソフトウェアにより実行される前記リーダライタとしての処理の内容の一部が記述されたデータを受信するデータ受信手段とを備える通信装置として機能させるプログラムである。
【手続補正１０】
【補正対象書類名】明細書
【補正対象項目名】００１８
【補正方法】変更
【補正の内容】
【００１８】
本発明の第１の側面においては、情報処理装置から、前記ＩＣチップをリーダライタとして機能させるためのソフトウェアが受信され、前記受信されたソフトウェアを用いて、前記情報処理装置から、前記ソフトウェアにより実行される前記リーダライタとしての処理の内容の一部が記述されたデータが受信される。
【手続補正１１】
【補正対象書類名】明細書
【補正対象項目名】００１９
【補正方法】変更
【補正の内容】
【００１９】
本発明の第２の側面は、他の機器に記憶された情報の読み出しまたは書き込みを行なうリーダライタとして機能可能なＩＣチップを有する通信装置であって、処理の内容の一部が記述されたデータに基づいて前記ＩＣチップを前記リーダライタとして機能させる通信装置から、送信されるページ取得要求に基づいて、前記通信装置に表示データを送信するページ送信手段と、前記表示データに含まれるリンクに基づく前記通信装置からのアクセスを受け付けた場合、前記データを前記通信装置に送信するデータ送信手段とを備える情報処理装置である。
【手続補正１２】
【補正対象書類名】明細書
【補正対象項目名】００２０
【補正方法】変更
【補正の内容】
【００２０】
前記ページ取得要求は、前記データを受信するために前記通信装置が予め取得した接続先情報に基づいて送信され、前記ページ送信手段は、前記接続先情報に含まれるパラメータに基づいて、前記通信端末に対する前記データの送信を許可すると判定した場合、ダウンロードキーを生成して前記ダウンロードキーを含む表示データを、前記前記通信装置に送信するようにすることができる。
【手続補正１３】
【補正対象書類名】明細書
【補正対象項目名】００２１
【補正方法】変更
【補正の内容】
【００２１】
前記データ送信手段は、前記表示データに含まれるリンクに基づく前記通信装置からのアクセスを受け付けた場合、前記通信装置から送信される所定のチェック情報に基づいて前記通信装置に対する前記データの送信を許可すると判定したとき、前記データを前記通信装置に送信するようにすることができる。
【手続補正１４】
【補正対象書類名】明細書
【補正対象項目名】００２２
【補正方法】変更
【補正の内容】
【００２２】
前記通信装置から送信される所定のチェック情報には、前記通信端末において、前記ＩＣチップをリーダライタとして機能させるためのソフトウェアの識別情報と、前記ダウンロードキーが含まれるようにすることができる。
【手続補正１５】
【補正対象書類名】明細書
【補正対象項目名】００２３
【補正方法】変更
【補正の内容】
【００２３】
前記通信装置が前記ＩＣチップによる前記リーダライタとしての処理を実行させるために、前記ソフトウェアを起動させる場合、前記通信装置から送信される所定のチェック情報に基づいて、前記通信装置による前記ソフトウェアの起動を許可するか否かを表すチェック結果を生成して前記通信装置に送信するソフトウェアチェック結果送信手段と、前記通信装置が前記ＩＣチップによる前記リーダライタとしての処理を実行させるために、前記データを用いる場合、前記通信装置から送信される所定のチェック情報に基づいて、前記通信装置による前記ロールの使用を許可するか否かを表すチェック結果を生成して前記通信装置に送信するデータチェック結果送信手段とをさらに備えるようにすることができる。
【手続補正１６】
【補正対象書類名】明細書
【補正対象項目名】００２４
【補正方法】変更
【補正の内容】
【００２４】
前記ソフトウェアチェック結果送信手段は、前記所定のチェック情報に含まれる前記ＩＣチップに固有の識別番号に基づいて、前記通信装置による前記ソフトウェアの起動を許可するか否かを判定するようにすることができる。
【手続補正１７】
【補正対象書類名】明細書
【補正対象項目名】００２５
【補正方法】変更
【補正の内容】
【００２５】
本発明の第２の側面は、コンピュータを、他の機器に記憶された情報の読み出しまたは書き込みを行なうリーダライタとして機能可能なＩＣチップを有する通信装置であって、処理の内容の一部が記述されたデータに基づいて前記ＩＣチップを前記リーダライタとして機能させる通信装置から、送信されるページ取得要求に基づいて、前記通信装置に表示データを送信するページ送信手段と、前記表示データに含まれるリンクに基づく前記通信装置からのアクセスを受け付けた場合、前記データを前記通信装置に送信するデータ送信手段とを備える情報処理装置として機能させるプログラムである。
【手続補正１８】
【補正対象書類名】明細書
【補正対象項目名】００２６
【補正方法】変更
【補正の内容】
【００２６】
本発明の第２の側面においては、処理の内容の一部が記述されたデータに基づいて前記ＩＣチップを前記リーダライタとして機能させる通信装置から、送信されるページ取得要求に基づいて、前記通信装置に表示データが送信され、前記表示データに含まれるリンクに基づく前記通信装置からのアクセスを受け付けた場合、前記データが前記通信装置に送信される。
【手続補正１９】
【補正対象書類名】明細書
【補正対象項目名】００２７
【補正方法】変更
【補正の内容】
【００２７】
本発明の第３の側面は、他の機器に記憶された情報の読み出しまたは書き込みを行なうリーダライタとして機能可能なＩＣチップを有し、情報処理装置から、前記ＩＣチップをリーダライタとして機能させるためのソフトウェアを受信するソフトウェア受信手段と、前記受信されたソフトウェアを用いて、前記情報処理装置から、前記ソフトウェアにより実行される前記リーダライタとしての処理の内容の一部が記述されたデータを受信するデータ受信手段とを備える通信装置と、他の機器に記憶された情報の読み出しまたは書き込みを行なうリーダライタとして機能可能なＩＣチップを有する通信装置であって、処理の内容の一部が記述されたデータに基づいて前記ＩＣチップを前記リーダライタとして機能させる通信装置から、送信されるページ取得要求に基づいて、前記通信装置に表示データを送信するページ送信手段と、前記表示データに含まれるリンクに基づく前記通信装置からのアクセスを受け付けた場合、前記データを前記通信装置に送信するデータ送信手段とを備える情報処理装置とからなるリーダライタ提供システムである。
【手続補正２０】
【補正対象書類名】明細書
【補正対象項目名】００２８
【補正方法】変更
【補正の内容】
【００２８】
本発明の第３の側面においては、通信装置により、情報処理装置から、前記ＩＣチップをリーダライタとして機能させるためのソフトウェアが受信され、前記受信されたソフトウェアを用いて、前記情報処理装置から、前記ソフトウェアにより実行される前記リーダライタとしての処理の内容の一部が記述されたデータが受信される。また、情報処理装置により、処理の内容の一部が記述されたデータに基づいて前記ＩＣチップを前記リーダライタとして機能させる通信装置から、送信されるページ取得要求に基づいて、前記通信装置に表示データが送信され、前記表示データに含まれるリンクに基づく前記通信装置からのアクセスを受け付けた場合、前記データが前記通信装置に送信される。
本発明の第４の側面は、本発明の第１の側面は、所定の領域に情報を記憶するとともに、他のＩＣチップに記憶された情報の読み出しまたは書き込みを行なうリーダライタとして機能するＩＣチップを有し、ネットワークに接続された情報処理装置から、前記ＩＣチップをリーダライタとして機能させるためのアプリケーションソフトウェアであるエージェントをダウンロードするエージェントダウンロード手段と、前記ダウンロードされたエージェントを用いて、ネットワークに接続された情報処理装置から、前記エージェントにより実行される前記リーダライタの処理の内容の一部が記述されたスクリプトデータであるロールをダウンロードするロールダウンロード手段とを備える通信装置である。
本発明の第５の側面は、所定の領域に情報を記憶するとともに、他のＩＣチップに記憶された情報の読み出しまたは書き込みを行なうリーダライタとして機能するＩＣチップを有する通信装置であって、処理の内容の一部が記述されたスクリプトデータであるロールに基づいて前記ＩＣチップを前記リーダライタとして機能させる通信装置から、ネットワークを介して送信されるロールダウンロード起動ページ取得要求に基づいて、前記通信装置にロールダウンロード起動ページの表示データを送信するロールダウンロード起動ページ送信手段と、前記ロールダウンロード起動ページに含まれるリンクに基づく前記通信装置からのアクセスを受け付けた場合、前記ロールを前記通信装置に送信するロール送信手段とを備える情報処理装置である。
【手続補正２１】
【補正対象書類名】明細書
【補正対象項目名】００４５
【補正方法】変更
【補正の内容】
【００４５】
同図に示されるように、リーダライタ提供システム２は、ＰＣ５０、携帯電話６０、エージェントサーバ７１、ロールサーバ７２、ログサーバ７３、およびＷｅｂサーバ８０を含む構成とされている。エージェントサーバ７１、ロールサーバ７２、およびログサーバ７３は、例えば、リーダライタ提供システム２の運営管理業者のデータセンタ７０に設置され、運営管理業者によって管理される。